【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域と該遊技領域の外部に位置する非遊技領域とを有する遊技盤と、該遊技盤の裏面に取り付けられ、かつ、遊技の進行を制御するマイクロプロセッサが実装される主制御基板と、を備えるパチンコ遊技機であって、
前記遊技盤は、少なくとも、
前記主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用され、かつ、前記遊技盤の非遊技領域に配置される機能表示基板
を備え、当該遊技盤の前面であって前記機能表示基板と対応する位置に、各種機能表示部が印刷された機能表示部材が取り付けられ、
前記機能表示基板にそれぞれ一定個数集約されて実装される表示素子は、少なくとも、
前記遊技領域に設けられた始動入賞口に遊技球が入球して大当り遊技状態の発生の有無を所定の特別図柄として変動表示する特別図柄表示素子と、
前記遊技領域に設けられた始動入賞口に遊技球が入球して前記特別図柄表示素子で特別図柄が変動表示されないときには遊技球の球数を保留数として表示する特別図柄記憶表示素子と、
前記遊技領域に設けられたゲートに遊技球が通過して開閉翼の開閉の有無を所定の普通図柄として変動表示する普通図柄表示素子と、
前記遊技領域に設けられたゲートに遊技球が入球して前記普通図柄表示素子で普通図柄が変動表示されないときには遊技球の球数を保留数として表示する普通図柄記憶表示素子と、
遊技状態として確率変動が生じているか否かを表示する遊技状態表示素子と、
前記遊技領域に設けられた大入賞口に遊技球が入球することができない状態から入球しやすい状態となる最大回数を表示するラウンド表示素子と、
に割り当てられ、
前記機能表示部材は、その表面に、少なくとも、前記ラウンド表示素子から構成されたラウンド機能表示部を識別するための指標が視認可能に印刷されるとともに当該機能表示部材の管理符号が視認可能に印刷されていることを特徴とするパチンコ遊技機。
【請求項２】
請求項１に記載のパチンコ遊技機であって、
前記遊技盤をその前面側に着脱自在に取り付ける本体枠と、
該本体枠の一側に開閉自在に軸支されて前記遊技盤の遊技領域を視認可能に透明板で被覆された遊技窓が形成される扉枠と、
を備え、
前記扉枠を前記本体枠に閉じた際に、前記ラウンド機能表示部が前記透明板で被覆された遊技窓を介して視認可能な位置に印刷される一方、前記管理符号が前記透明板で被覆された遊技窓を介して視認しにくい位置に印刷されていることを特徴とするパチンコ遊技機。
【手続補正２】
【補正対象書類名】明細書
【補正対象項目名】０００９
【補正方法】変更
【補正の内容】
【０００９】
（解決手段１）
遊技球が打ち込まれる遊技領域と該遊技領域の外部に位置する非遊技領域とを有する遊技盤と、該遊技盤の裏面に取り付けられ、かつ、遊技の進行を制御するマイクロプロセッサが実装される主制御基板と、を備えるパチンコ遊技機であって、前記遊技盤は、少なくとも、前記主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用され、かつ、前記遊技盤の非遊技領域に配置される機能表示基板を備え、当該遊技盤の前面であって前記機能表示基板と対応する位置に、各種機能表示部が印刷された機能表示部材が取り付けられ、前記機能表示基板にそれぞれ一定個数集約されて実装される表示素子は、少なくとも、前記遊技領域に設けられた始動入賞口に遊技球が入球して大当り遊技状態の発生の有無を所定の特別図柄として変動表示する特別図柄表示素子と、前記遊技領域に設けられた始動入賞口に遊技球が入球して前記特別図柄表示素子で特別図柄が変動表示されないときには遊技球の球数を保留数として表示する特別図柄記憶表示素子と、前記遊技領域に設けられたゲートに遊技球が通過して開閉翼の開閉の有無を所定の普通図柄として変動表示する普通図柄表示素子と、前記遊技領域に設けられたゲートに遊技球が入球して前記普通図柄表示素子で普通図柄が変動表示されないときには遊技球の球数を保留数として表示する普通図柄記憶表示素子と、遊技状態として確率変動が生じているか否かを表示する遊技状態表示素子と、前記遊技領域に設けられた大入賞口に遊技球が入球することができない状態から入球しやすい状態となる最大回数を表示するラウンド表示素子と、に割り当てられ、前記機能表示部材は、その表面に、少なくとも、前記ラウンド表示素子から構成されたラウンド機能表示部を識別するための指標が視認可能に印刷されるとともに当該機能表示部材の管理符号が視認可能に印刷されていることを特徴とするパチンコ遊技機。
【手続補正３】
【補正対象書類名】明細書
【補正対象項目名】００１０
【補正方法】変更
【補正の内容】
【００１０】
このパチンコ遊技機は、遊技盤、主制御基板を備えている。遊技盤は、遊技球が打ち込まれる遊技領域と、この遊技領域の外部に位置する非遊技領域とを有している。主制御基板は、遊技盤の裏面に取り付けられ、かつ、遊技の進行を制御するマイクロプロセッサが実装されている。
【手続補正４】
【補正対象書類名】明細書
【補正対象項目名】００１１
【補正方法】変更
【補正の内容】
【００１１】
遊技盤は、少なくとも、機能表示基板を備えている。機能表示基板は、主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用され、かつ、非遊技領域に配置されており、その位置が固定されている。遊技盤の前面には、その機能表示基板と対応する位置に、各種機能表示部が印刷された機能表示部材が取り付けられている。これにより、遊技の進行に基づく各種機能表示を一目して分かり、パチンコ遊技機の仕様が異なっても、機能表示部材の位置が変わることがない。
【手続補正５】
【補正対象書類名】明細書
【補正対象項目名】００１２
【補正方法】変更
【補正の内容】
【００１２】
機能表示基板にそれぞれ一定個数集約されて実装される表示素子は、少なくとも、特別図柄表示素子、特別図柄記憶表示素子、普通図柄表示素子、普通図柄記憶表示素子、遊技状態表示素子、ラウンド表示素子、から構成されている。特別図柄表示素子は遊技領域に設けられた始動入賞口に遊技球が入球して大当り遊技状態の発生の有無を所定の特別図柄として変動表示し、特別図柄記憶表示素子は遊技領域に設けられた始動入賞口に遊技球が入球して特別図柄表示素子で特別図柄が変動表示されないときに遊技球の球数を保留数として表示する。普通図柄表示素子は遊技領域に設けられたゲートに遊技球が通過して開閉翼の開閉の有無を所定の普通図柄として変動表示し、普通図柄記憶表示素子は遊技領域に設けられたゲートに遊技球が入球して普通図柄表示素子で普通図柄が変動表示されないときに遊技球の球数を保留数として表示する。遊技状態表示素子は遊技状態として確率変動が生じているか否かを表示し、ラウンド表示素子は遊技領域に設けられた大入賞口に遊技球が入球することができない状態から入球しやすい状態となる最大回数を表示する。
【手続補正６】
【補正対象書類名】明細書
【補正対象項目名】００１６
【補正方法】変更
【補正の内容】
【００１６】
本実施形態では、例えば、図１１５の遊技領域２５５が遊技領域に相当し、図１１５の飾り枠２５１が非遊技領域に相当し、図１１５の遊技盤４が遊技盤に相当し、図１１９の主制御ＭＰＵ１７００ａがマイクロプロセッサに相当し、図１１９に主制御基板１７００が主制御基板に相当し、図１のパチンコ遊技機１がパチンコ遊技機に相当し、図１１６のセグメント表示器ＳＥＧ１，ＳＥＧ２が表示素子に相当し、図１１６のＬＥＤ１〜ＬＥＤ１２が表示素子に相当し、図１１６の機能表示基板１２２５ａが機能表示基板に相当し、図１１６の機能表示シール１５９５Ａが機能表示部材に相当し、図１１５の上始動入賞口１３３０及び下始動入賞口１３４０が始動入賞口に相当し、図１１６の上特別図柄表示器１４８０及び下特別図柄表示器１４９０が特別図柄表示素子に相当し、図１１６の上特別図柄記憶ランプ１５００ａ，１５００ｂ及び下特別図柄記憶ランプ１５１０ａ，１５１０ｂが特別図柄記憶表示素子に相当し、図１１５のゲート１２９０がゲートに相当し、図１１５の開閉翼１３８０が開閉翼に相当し、図１１６の普通図柄表示器１５２０が普通図柄表示素子に相当し、図１１６の普通図柄記憶ランプ１５３０ａ〜１５３０ｄが普通図柄記憶表示素子に相当し、図１１６の遊技状態表示ランプ１５４０が遊技状態表示素子に相当し、図１１５の大入賞口１４００が大入賞口に相当し、図１１６の２ラウンド表示ランプ１５５０及び１５ラウンド表示ランプ１５６０がラウンド表示素子に相当し、図１１７の実線ＳＬ５で囲まれた状態で区画されて機能表示シール１５９５Ａに印刷された２ラウンド表示ランプ１５５０の値２及び実線ＳＬ６で囲まれた状態で区画されて機能表示シール１５９５Ａに印刷された１５ラウンド表示ランプ１５６０の値１５がラウンド機能表示部を識別するための指標に相当し、図１１７のシール管理番号１５９５Ａａが管理符号に相当する。
【手続補正７】
【補正対象書類名】明細書
【補正対象項目名】００１７
【補正方法】変更
【補正の内容】
【００１７】
（解決手段２）
解決手段１に記載のパチンコ遊技機であって、前記遊技盤をその前面側に着脱自在に取り付ける本体枠と、該本体枠の一側に開閉自在に軸支されて前記遊技盤の遊技領域を視認可能に透明板で被覆された遊技窓が形成される扉枠と、を備え、前記扉枠を前記本体枠に閉じた際に、前記ラウンド機能表示部が前記透明板で被覆された遊技窓を介して視認可能な位置に印刷される一方、前記管理符号が前記透明板で被覆された遊技窓を介して視認しにくい位置に印刷されていることを特徴とするパチンコ遊技機。機能表示部材の表面には、扉枠を本体枠に閉じた際に、ラウンド機能表示部が透明板で被覆された遊技窓を介して視認可能な位置に印刷され、一方、機能表示部材の管理符号が透明板で被覆された遊技窓を介して視認しにくい位置に印刷されている。つまり、遊技の進行に必要な情報であるラウンド機能表示部は遊技者に視認できるように印刷される一方、機能表示部材の管理符号はパチンコ遊技機を製造するメーカの作業者がパチンコ遊技機を組み立てる際に視認できるように印刷されている。
本実施形態では、例えば、図１の本体枠３が本体枠に相当し、図１のガラス板６０が透明板に相当し、図１の遊技窓４２が遊技窓に相当し、図１の扉枠５が扉枠に相当する。
（解決手段３）
解決手段１又は２に記載のパチンコ遊技機であって、前記遊技盤の前面には、前記機能表示部材を取り外しやすくする凹部が形成され、前記扉枠を前記本体枠に閉じた際に、前記凹部が視認しにくい位置に形成されていることを特徴とするパチンコ遊技機。こうすれば、凹部にマイナスドライバ等の工具を挿入して取り付けた機能表示部材を取り外しやすくすることができる。ここで、機能表示部材を取り外しやすくするために機能表示部材に突出部を設けることも考えられるが、扉枠を本体枠から開閉する際に、その突出部が何らかの原因によって引っ張られて機能表示部材が外れるおそれがある。そこで、遊技盤の前面に凹部を形成することによって、扉枠を本体枠から開閉する際に、機能表示部材が外れないようにすることができる。また、扉枠を本体枠に閉じた際に、凹部が視認しにくい位置に形成されているため、凹部を遊技者に視認しにくくすることができる。